(57)【要約】【課題】ブレードを基準にベースの角度を調整してブレードの切断角度を精度良く調整できるようにし、作業効率の向上を図る。【解決手段】ベース３０に、刃物１８を基準にベース３０の角度を調整するための分度器４０を着脱自在に設けたので、分度器４０によって刃物１８の切断角度を精度良く調整することができる。これにより、刃物１８とベース３０とのなす角度を精度良く調整して、木材Ｗの切断部分の切断角度を精度良くすることができ、ひいては切断部分の角度調整等の後加工（二次加工）が不要となり、作業効率を大幅に向上させることが可能となる。【選択図】図３
2013071201.tif 000002
【特許請求の範囲】
【請求項１】
ハウジングと、該ハウジング内に設けられる電動機と、前記ハウジング内に設けられて前記電動機の回転運動を往復運動に変換する運動変換機構と、該運動変換機構により往復運動するプランジャと、該プランジャに保持されて被加工部材を切断するブレードと、前記ハウジングに回動自在に設けられて前記ブレードの切断角度を決定するベースとを有する切断工具において、
前記ベースに、前記ブレードを基準に前記ベースの角度を調整するための角度調整手段を設けることを特徴とする切断工具。
【請求項２】
前記角度調整手段は、前記ブレードの切断方向に沿う前記ベースの前記ブレードとの対向箇所に着脱自在に設けられる分度器を備えることを特徴とする請求項１記載の切断工具。
【請求項３】
前記角度調整手段は、前記分度器が挿入される溝部と、該溝部に前記分度器を挿入した際に前記分度器の基準線部を合わせるための水平基準線部とを備えることを特徴とする請求項２記載の切断工具。
【請求項４】
前記角度調整手段は、前記分度器の基準点を合わせるための基準部を備えることを特徴とする請求項３記載の切断工具。
【請求項５】
前記角度調整手段は、前記ブレードの切断方向に沿う前記ベースの前記ブレードとの対向箇所に設けられ、前記ブレードの延在方向に延びるスリットであることを特徴とする請求項１記載の切断工具。
【請求項６】
ハウジングと、該ハウジング内に設けられる電動機と、前記ハウジング内に設けられて前記電動機の回転運動を往復運動に変換する運動変換機構と、該運動変換機構により往復運動するプランジャと、該プランジャに保持されて被加工部材を切断するブレードと、前記ハウジングに回動自在に設けられて前記ブレードの切断角度を決定するベースとを有する切断工具の切断角度調整方法において、
前記ブレードの切断方向に沿う前記ベースの前記ブレードとの対向箇所に、分度器を装着する分度器装着工程と、
前記ブレードの切断方向に沿うよう前記ブレードの位置と前記分度器の位置とを対向させる位置合わせ工程と、
前記分度器を目視しつつ前記ベースを前記ハウジングに対して回動させて、前記切断角度を調整する切断角度調整工程と、
を備えることを特徴とする切断工具の切断角度調整方法。
【請求項７】
前記分度器装着工程は、前記分度器の基準線部と前記ベースの水平基準線部とを合わせる第１基準合わせ工程と、前記分度器の基準点と前記ベースの基準部とを合わせる第２基準合わせ工程とを含むことを特徴とする請求項６記載の切断工具の切断角度調整方法。
【請求項８】
ハウジングと、該ハウジング内に設けられる電動機と、前記ハウジング内に設けられて前記電動機の回転運動を往復運動に変換する運動変換機構と、該運動変換機構により往復運動するプランジャと、該プランジャに保持されて被加工部材を切断するブレードと、前記ハウジングに回動自在に設けられて前記ブレードの切断角度を決定するベースとを有する切断工具の切断角度調整方法において、
前記ブレードの切断方向に沿う前記ベースの前記ブレードとの対向箇所に設けられて前記ブレードの延在方向に延びるスリットの位置と、前記ブレードの位置とを対向させる位置合わせ工程と、
前記スリットを目視しつつ前記ベースを前記ハウジングに対して回動させ、前記スリットの延在方向と前記ブレードの延在方向とが一致するよう前記切断角度を調整する切断角度調整工程と、
を備えることを特徴とする切断工具の切断角度調整方法。
【発明の詳細な説明】
【技術分野】
【０００１】
本発明は、ハウジングに回動自在に設けられてブレードの切断角度を決定するベースを備えた切断工具およびその切断角度調整方法に関する。
【背景技術】
【０００２】
従来、被加工部材としての木材等を切断する切断工具としては、例えば、往復運動するブレードを備えた切断工具が知られている。このような往復運動するブレードを備えた切断工具は、所謂ジグソーとも呼ばれ、当該ジグソーは、使用者により把持されるハンドルを備えたハウジングを有している。そして、ハウジングの内部には、電動機（電動モータ），運動変換機構，プランジャ等の駆動系部品が設けられ、さらに、ハウジングの外部におけるブレードの近傍には、木材等の平面に沿って摺接するベースが設けられている。
【０００３】
運動変換機構は電動モータの回転運動を往復運動に変換し、プランジャはブレードの基端部を保持するとともに、運動変換機構により往復運動するようになっている。ベースはハウジングに対して回動自在に設けられ、ベースを回動させることで当該ベースとブレードとのなす角度を調整し、これによりブレードの切断角度、つまり木材等の切断角度を調整するようにしている。このようにベースとブレードとのなす角度を調整することで、木材等の角部、つまり切断部分を所定角度（例えば４５°等）で切り落とせるようにしている。
【０００４】
上述のような切断工具（ジグソー）としては、例えば、特許文献１に記載された技術が知られている。特許文献１に記載された切断機（ジグソー）は、ハウジングとベースとの間にレバーを備え、レバーを弛めるよう操作することで、ハウジングに対してベースが回動可能となる。そして、ハウジングおよびベースに設けられた角度調整用目盛り（特許文献１の図２，図４，図５参照）を目視することで、ベースをハウジングに対して例えば４５°傾斜させ、その後レバーを締め付けるよう操作することにより、ブレードの切断角度を４５°に調整できるようにしている。
【先行技術文献】
【特許文献】
【０００５】
【特許文献１】特開２０００−０３７７０１号公報（図２，図４，図５）
【発明の概要】
【発明が解決しようとする課題】
【０００６】
しかしながら、上述の特許文献１に記載された技術によれば、ハウジングおよびベースに設けられた角度調整用目盛りを目視することにより、ハウジングに対するベースの傾斜角度を決定するようにしている。したがって、駆動系部品であるプランジャのハウジングに対する組み付け精度にバラツキが生じ、プランジャがハウジングに対して曲がって組み付けられた場合や、プランジャに対してブレードが曲がって組み付けられた場合等においては、角度調整用目盛りを正確に合わせたとしてもブレードとベースとのなす角度が狂うことになる。これにより、切断角度に正確さが要求される家具の製作や建築材の切断等に当該切断工具を用いる場合には、木材の合わせ面等を正確な角度で切断するのが困難となり、ひいては合わせ面の角度調整等の後加工（二次加工）が必要になる等、作業効率を著しく低下させるという問題が生じ得る。
【０００７】
本発明の目的は、ブレードを基準にベースの角度を調整してブレードの切断角度を精度良く調整できるようにし、作業効率の向上を図ることが可能な切断工具およびその切断角度調整方法を提供することにある。
【課題を解決するための手段】
【０００８】
本発明の切断工具は、ハウジングと、該ハウジング内に設けられる電動機と、前記ハウジング内に設けられて前記電動機の回転運動を往復運動に変換する運動変換機構と、該運動変換機構により往復運動するプランジャと、該プランジャに保持されて被加工部材を切断するブレードと、前記ハウジングに回動自在に設けられて前記ブレードの切断角度を決定するベースとを有する切断工具において、前記ベースに、前記ブレードを基準に前記ベースの角度を調整するための角度調整手段を設けることを特徴とする。
【０００９】
本発明の切断工具は、前記角度調整手段は、前記ブレードの切断方向に沿う前記ベースの前記ブレードとの対向箇所に着脱自在に設けられる分度器を備えることを特徴とする。
【００１０】
本発明の切断工具は、前記角度調整手段は、前記分度器が挿入される溝部と、該溝部に前記分度器を挿入した際に前記分度器の基準線部を合わせるための水平基準線部とを備えることを特徴とする。
【００１１】
本発明の切断工具は、前記角度調整手段は、前記分度器の基準点を合わせるための基準部を備えることを特徴とする。
【００１２】
本発明の切断工具は、前記角度調整手段は、前記ブレードの切断方向に沿う前記ベースの前記ブレードとの対向箇所に設けられ、前記ブレードの延在方向に延びるスリットであることを特徴とする。
【００１３】
本発明の切断工具の切断角度調整方法は、ハウジングと、該ハウジング内に設けられる電動機と、前記ハウジング内に設けられて前記電動機の回転運動を往復運動に変換する運動変換機構と、該運動変換機構により往復運動するプランジャと、該プランジャに保持されて被加工部材を切断するブレードと、前記ハウジングに回動自在に設けられて前記ブレードの切断角度を決定するベースとを有する切断工具の切断角度調整方法において、前記ブレードの切断方向に沿う前記ベースの前記ブレードとの対向箇所に、分度器を装着する分度器装着工程と、前記ブレードの切断方向に沿うよう前記ブレードの位置と前記分度器の位置とを対向させる位置合わせ工程と、前記分度器を目視しつつ前記ベースを前記ハウジングに対して回動させて、前記切断角度を調整する切断角度調整工程と、を備えることを特徴とする。
【００１４】
本発明の切断工具の切断角度調整方法は、前記分度器装着工程は、前記分度器の基準線部と前記ベースの水平基準線部とを合わせる第１基準合わせ工程と、前記分度器の基準点と前記ベースの基準部とを合わせる第２基準合わせ工程とを含むことを特徴とする。
【００１５】
本発明の切断工具の切断角度調整方法は、ハウジングと、該ハウジング内に設けられる電動機と、前記ハウジング内に設けられて前記電動機の回転運動を往復運動に変換する運動変換機構と、該運動変換機構により往復運動するプランジャと、該プランジャに保持されて被加工部材を切断するブレードと、前記ハウジングに回動自在に設けられて前記ブレードの切断角度を決定するベースとを有する切断工具の切断角度調整方法において、前記ブレードの切断方向に沿う前記ベースの前記ブレードとの対向箇所に設けられて前記ブレードの延在方向に延びるスリットの位置と、前記ブレードの位置とを対向させる位置合わせ工程と、前記スリットを目視しつつ前記ベースを前記ハウジングに対して回動させ、前記スリットの延在方向と前記ブレードの延在方向とが一致するよう前記切断角度を調整する切断角度調整工程と、を備えることを特徴とする。
【発明の効果】
【００１６】
本発明の切断工具によれば、ベースに、ブレードを基準にベースの角度を調整するための角度調整手段を設けるので、角度調整手段によってブレードの切断角度を精度良く調整することができる。これにより、ブレードとベースとのなす角度を精度良く調整して、被加工部材の切断部分の切断角度を精度良くすることができ、ひいては切断部分の角度調整等の後加工（二次加工）が不要となり、作業効率を大幅に向上させることが可能となる。
【００１７】
本発明の切断工具によれば、角度調整手段は、ブレードの切断方向に沿うベースのブレードとの対向箇所に着脱自在に設けられる分度器を備えるので、分度器を目視しつつベースをハウジングに対して回動させることで、ブレードとベースとのなす角度を種々の角度に精度良く調整することができる。
【００１８】
本発明の切断工具によれば、角度調整手段は、分度器が挿入される溝部と、溝部に分度器を挿入した際に分度器の基準線部を合わせるための水平基準線部とを備えるので、分度器をベースに対して精度良く装着することができる。
【００１９】
本発明の切断工具によれば、角度調整手段は、分度器の基準点を合わせるための基準部を備えるので、分度器をベースに対してより精度良く装着することができる。
【００２０】
本発明の切断工具によれば、角度調整手段は、ブレードの切断方向に沿うベースのブレードとの対向箇所に設けられ、ブレードの延在方向に延びるスリットであるので、ブレードの切断方向に向けてスリットを目視しつつベースをハウジングに対して回動し、ブレードの延在方向とスリットの延在方向とを一致させることで、ブレードとベースとのなす角度を所定角度に精度良く調整することができる。この場合、例えば、スリットをベースの水平方向に対して垂直方向に延在するよう設けることで、ブレードとベースとのなす角度を９０°に精度良く調整することができる。
【００２１】
本発明の切断工具の切断角度調整方法によれば、ブレードの切断方向に沿うベースのブレードとの対向箇所に、分度器を装着する分度器装着工程と、ブレードの切断方向に沿うようブレードの位置と分度器の位置とを対向させる位置合わせ工程と、分度器を目視しつつベースをハウジングに対して回動させて、切断角度を調整する切断角度調整工程とを経ることで、ブレードとベースとのなす角度を所定角度に精度良く調整することができる。
【００２２】
本発明の切断工具の切断角度調整方法によれば、分度器装着工程は、分度器の基準線とベースの水平基準線とを合わせる第１基準合わせ工程と、分度器の基準点とベースの基準部とを合わせる第２基準合わせ工程とを含むので、分度器をベースに対して精度良く装着することができる。
【００２３】
本発明の切断工具の切断角度調整方法によれば、ブレードの切断方向に沿うベースのブレードとの対向箇所に設けられてブレードの延在方向に延びるスリットの位置と、ブレードの位置とを対向させる位置合わせ工程と、スリットを目視しつつベースをハウジングに対して回動させ、スリットの延在方向とブレードの延在方向とが一致するよう切断角度を調整する切断角度調整工程とを経ることで、ブレードとベースとのなす角度を所定角度に精度良く調整することができる。
【図面の簡単な説明】
【００２４】
【図１】本発明の第１実施の形態に係るジグソーの内部構造を示す部分断面図である。
【図２】図１のＡ矢視図（ジグソー全体）である。
【図３】図１のＢ矢視図（ベースの部分）である。
【図４】（ａ），（ｂ）は、第１実施の形態におけるブレードの切断角度の調整手順を説明する説明図である。
【図５】本発明の第２実施の形態に係るジグソーにおけるベースの部分を拡大して示す部分断面図である。
【図６】図５のＣ矢視図である。
【図７】（ａ），（ｂ）は、第２実施の形態におけるブレードの切断角度の調整手順を説明する説明図である。
【図８】（ａ），（ｂ），（ｃ）は、スリットの変形例とそのブレードの切断角度の調整手順を説明する説明図である。
【図９】本発明の第３実施の形態に係るジグソーにおけるベースの部分を拡大して示す部分断面図である。
【図１０】図９のＤ矢視図である。
【図１１】（ａ），（ｂ）は、第３実施の形態におけるブレードの切断角度の調整手順を説明する説明図である。
【発明を実施するための形態】
【００２５】
以下、本発明の第１実施の形態について、図面を用いて詳細に説明する。
【００２６】
図１は本発明の第１実施の形態に係るジグソーの内部構造を示す部分断面図を、図２は図１のＡ矢視図（ジグソー全体）を、図３は図１のＢ矢視図（ベースの部分）を、図４（ａ），（ｂ）は第１実施の形態におけるブレードの切断角度の調整手順を説明する説明図を、それぞれ表している。
【００２７】
図１に示すように、切断工具としてのジグソー１０は、図中破線で示す被加工部材としての木材Ｗを切断するための動力工具であって、ジグソー１０は、その外郭をなすハウジング１１を備えている。ハウジング１１はプラスチック等の樹脂材料により所定形状に形成され、当該ハウジング１１は、図２に示すように、図中左右側で略同一形状に形成された第１ハウジング１１ａと第２ハウジング１１ｂとを備えている。そして、各ハウジング１１ａ，１１ｂを突き合わせることで、内部に電動モータ１２等を収容する空間が形成されるようになっている。なお、図１においてはジグソー１０の内部構造を説明するために第１ハウジング１１ａを省略している。
【００２８】
ハウジング１１は、本体部１１ｃとハンドル部１１ｄとを備えており、本体部１１ｃの内部には、電動機としての電動モータ１２が収容されている。電動モータ１２は、外周にコイル（図示せず）が巻き付けられたアーマチュア１２ａを備え、このアーマチュア１２ａの回転中心には回転軸１２ｂが貫通して固定されている。回転軸１２ｂには整流子１２ｃが一体に設けられ、当該整流子１２ｃには一対のブラシ１２ｄが摺接するようになっている。つまり、電動モータ１２はブラシ付きの電動モータであって、各ブラシ１２ｄを介してコイルに駆動電流を供給することで、アーマチュア１２ａに回転力（電磁力）が発生するようになっている。
【００２９】
ハンドル部１１ｄには、使用者により操作されるスイッチ１３が設けられ、当該スイッチ１３を操作することで、電動モータ１２に駆動電流が供給されるようになっている。また、ハンドル部１１ｄのスイッチ１３よりも前方側（図１中右側）には、電動モータ１２の回転速度を調整する調整ダイヤル１４が設けられ、当該調整ダイヤル１４を調整して電動モータ１２の回転速度を調整することにより、木材Ｗの切断速度を調整できるようにしている。
【００３０】
本体部１１ｃの内部には、電動モータ１２の回転運動を往復運動に変換する運動変換機構１５が設けられ、当該運動変換機構１５は、本体部１１ｃの内部に固定されたホルダ１６を介してハウジング１１に支持されている。運動変換機構１５は、回転軸１２ｂの先端側（図１中右側）に設けられたピニオンＰＮと、このピニオンＰＮに噛み合うギヤＧＲとからなる減速部１５ａを備えている。
【００３１】
また、運動変換機構１５は、ギヤＧＲの回転運動をプランジャ１７の往復運動に変換する変換部１５ｂを備えている。変換部１５ｂは、ギヤＧＲの回転中心から偏心した位置に設けられた偏心駒１５ｃと、プランジャ１７に設けられて偏心駒１５ｃが入り込んで摺動する横溝１７ａとから構成されている。ここで、横溝１７ａは、詳細は図示しないがプランジャ１７の短手方向（図２中左右方向）に沿って延びるよう設けられ、偏心駒１５ｃが回転しつつ横溝１７ａ内を摺動することにより、プランジャ１７は図中上下方向に往復運動するようになっている。
【００３２】
プランジャ１７の先端側（図中下側）には、ブレードとしての刃物１８の基端側（図中上側）をワンタッチで支持するブレードホルダ１９が設けられている。ブレードホルダ１９は、複数の締結ネジＳによりプランジャ１７に固定され、プランジャ１７および刃物１８とともに往復運動するようになっている。このように、刃物１８はブレードホルダ１９を介してプランジャ１７に保持されている。また、刃物１８の図１中右側、つまり木材Ｗの切断方向には、鋭角の凹凸部よりなる刃部（図示せず）が形成されている。
【００３３】
刃物１８の後方側（図１中左側）には、刃物１８を後方から支持し、当該刃物１８の往復運動を案内するガイドローラ２０が設けられ、このガイドローラ２０は、必要に応じて刃物１８をその往復運動に合わせて前方に押圧可能となっている。つまり、刃物１８に楕円軌道を描かせることができ、これにより木材Ｗの切断効率等を調整できるようにしている。ここで、図２に示すように、第２ハウジング１１ｂ側には調整つまみ２１が設けられ、当該調整つまみ２１を適宜調整することで、刃物１８に楕円軌道を描かせたり、刃物１８を単に上下動（往復動）させたりできるようにしている。
【００３４】
図１中符号２２は、プランジャ１７を後方に押圧する押圧部材であり、この押圧部材２２を形成するコイルばねＳＰのばね力は、ガイドローラ２０による刃物１８の前方への押圧力とバランスするようになっている。これにより、ジグソー１０の作動時におけるプランジャ１７および刃物１８の前後方向へのガタツキの発生（異音発生等）を防止している。
【００３５】
ハウジング１１の図中下方側、つまり木材Ｗ側には、木材Ｗの平面に摺接してジグソー１０の切断方向への移動を案内するベース３０が設けられている。ベース３０は、図１および図２に示すように、ベース本体３１と一対のベース爪３２とを備えている。ベース本体３１は、ハウジング１１に対して回動自在に設けられ、ハウジング１１の短手方向に沿うよう傾斜するようになっている（図４参照）。これにより、ベース３０は、刃物１８の切断角度α（図２，３参照）を決定するようになっている。また、各ベース爪３２の基端側はベース本体３１の前方側に一体に設けられ、各ベース爪３２の先端側は、刃物１８の切断方向に向けて延在しており、各ベース爪３２間には刃物１８が配置されている。
【００３６】
ベース本体３１は、固定ネジ３３を介してハウジング１１に固定され、固定ネジ３３はハウジング１１に固定された剛性を有する固定ナット１１ｅにネジ結合されるようになっている。そして、図４に示す締結工具（六角レンチ）Ｔを用いて固定ネジ３３を締め付けることで、ベース本体３１（ベース３０）はハウジング１１に固定され、固定ネジ３３を弛めることで、ベース本体３１はハウジング１１に対して傾斜可能となる。
【００３７】
図１に示すように、ベース本体３１の後方側には、凹溝（溝部）３４を有する壁部３５が一体に設けられ、壁部３５は、図中下方側（木材Ｗ側）に向けて延ばされている。壁部３５には、図１および図３に示すように、貫通孔（基準部）３６と水平基準線部３７が設けられており、貫通孔３６はベース３０の回動中心Ｃとなっている。また、壁部３５には固定ネジ３８がネジ結合されるネジ孔３９が設けられている。
【００３８】
壁部３５には、図３に示すような分度器４０が着脱自在に設けられている。つまり、分度器４０は、刃物１８の切断方向に沿うベース３０の刃物１８との対向箇所に着脱自在に設けられている。分度器４０は、刃物１８を基準としてベース３０の角度を調整するために用いるもので、当該分度器４０としては、一般的に用いられる透明のプラスチック材料よりなる分度器を用いることができる。
【００３９】
ここで、ベース３０のベース本体３１に設けた凹溝３４，貫通孔３６および水平基準線部３７と、ベース本体３１の壁部３５に装着される分度器４０とは、本発明における角度調整手段を構成している。
【００４０】
分度器４０は、直線部４１と円弧部４２とを備えた半円形状に形成され、当該分度器４０の直線部４１寄りには、「０°」を示すゼロ度線（基準線部）４３が設けられ、また、当該ゼロ度線４３の中央部から円弧部４２に向けて「９０°」を示す垂直線４４が設けられている。
【００４１】
分度器４０を壁部３５に装着するには、分度器４０の直線部４１を凹溝３４に挿入するようにし、分度器４０のゼロ度線４３と壁部３５の水平基準線部３７とを重なるようにする。また、分度器４０のゼロ度線４３と垂直線４４との交差部（基準点）４５を貫通孔３６に合わせるようにする。ここで、交差部４５と貫通孔３６との合わせ込み（整合）は、使用者により貫通孔３６を覗き込むことで行うことができる。その後、固定ネジ３８を図示しない締結工具（六角レンチ）によりネジ孔３９にネジ込むことで、分度器４０を壁部３５に装着（固定）することができる。なお、分度器４０は、ベース３０を角度調整するときにのみ壁部３５に装着し、ジグソー１０を作動して木材Ｗを切断する際にはベース３０から取り外される。
【００４２】
次に、以上のように構成したジグソー１０におけるベース３０の角度調整の方法、つまり刃物１８の切断角度の調整方法（切断工具の切断角度調整方法）について、図４（ａ），（ｂ）を用いて詳細に説明する。
【００４３】
ここで、図４（ａ）においては、ハウジング１１に対するベース３０の傾斜角度が正確に９０°となるよう、角度調整目盛りＭにより設定されているにも関わらず、実際のベース３０と刃物１８とのなす角度（切断角度）が８５°となっている場合を示している。つまり、プランジャ１７がハウジング１１に対して曲がって組み付けられた場合や、プランジャ１７に対して刃物１８が曲がって組み付けられた場合等を示している。
【００４４】
［分度器装着工程］
ベース３０の角度調整を行うに当たり、まず、上述したように分度器４０をベース３０の壁部３５に装着する。具体的には、図１および図３に示すように、分度器４０を凹溝３４に挿入し、ゼロ度線４３と水平基準線部３７とを重ね合わせるよう調整する（第１基準合わせ工程）。さらに、その状態のもとで貫通孔３６を覗き込んで交差部４５を貫通孔３６に合わせる（第２基準合わせ工程）。そして、固定ネジ３８をネジ孔３９にネジ込むことで、刃物１８の切断方向に沿うベース３０の刃物１８との対向箇所に分度器４０が装着され、これにより分度器装着工程が終了する。
【００４５】
［位置合わせ工程］
分度器装着工程に引き続き、刃物１８の切断方向に沿うよう刃物１８の位置と分度器４０の位置とを対向させ、分度器４０を正面から見た際、つまり分度器４０をベース３０の長手方向から目視した際に、図４（ａ），（ｂ）に示すように分度器４０と刃物１８とが重なって見えるようにする。これにより位置合わせ工程が終了する。ここで、分度器４０は透明のプラスチック材料により形成されているので、刃物１８が見え難くなるようなことは無い。
【００４６】
［切断角度調整工程］
位置合わせ工程に引き続き、刃物１８の切断角度を正確に９０°に調整する場合には、締結工具Ｔを固定ネジ３３（図１参照）のネジ頭部に差し込んで、図４（ａ）に示すように、締結工具Ｔを矢印ｒ１方向に回転させ、これにより固定ネジ３３を弛める。すると、ベース３０がハウジング１１に対して回動可能となる。
【００４７】
次に、図４（ｂ）に示すように、分度器４０を正面から目視しつつベース３０をハウジング１１に対して矢印ｒ２方向に５°だけ回動させ、刃物１８の切断角度が９０°になるよう調整する。ここで、分度器４０を正面から目視しつつ、分度器４０の垂直線４４を刃物１８上に真っ直ぐに位置させることで、ベース３０と刃物１８とのなす角度（切断角度）が正確に９０°に設定される。その後、再度、締結工具Ｔを固定ネジ３３のネジ頭部に差し込み、締結工具Ｔを矢印ｒ３方向に回転させて固定ネジ３３を締め付け、ベース３０をハウジング１１に対して固定する。これにより切断角度調整工程が終了する。そして、その後さらに固定ネジ３８を弛めて分度器４０を壁部３５から取り外すことで、ジグソー１０の使用準備が整う。
【００４８】
以上詳述したように、第１実施の形態に係るジグソー１０によれば、ベース３０に、刃物１８を基準にベース３０の角度を調整するための分度器４０を着脱自在に設けたので、分度器４０によって刃物１８の切断角度を精度良く調整することができる。これにより、刃物１８とベース３０とのなす角度を精度良く調整して、木材Ｗの切断部分の切断角度を精度良くすることができ、ひいては切断部分の角度調整等の後加工（二次加工）が不要となり、作業効率を大幅に向上させることが可能となる。
【００４９】
また、第１実施の形態に係るジグソー１０によれば、ベース３０の角度調整のために分度器４０を用いるので、刃物１８とベース３０とのなす角度を、９０°に限らず種々の角度（例えば４５°等）に精度良く調整することができる。
【００５０】
さらに、第１実施の形態に係るジグソー１０によれば、分度器４０をベース３０に対して、第１基準合わせ工程および第２基準合わせ工程を経て装着したので、分度器４０をベース３０に対して精度良く装着することができる。
【００５１】
また、第１実施の形態に係るジグソー１０によれば、凹溝３４を比較的深い溝としており、これによりサイズが異なる種々の市販されている分度器を壁部３５に装着することができる。したがって、特別な角度調整手段を準備すること無く、容易に精度良く角度調整を行うことができる。
【００５２】
次に、本発明の第２実施の形態について、図面を用いて詳細に説明する。なお、上述した第１実施の形態と同様の機能を有する部分については同一の符号を付し、その詳細な説明を省略する。
【００５３】
図５は本発明の第２実施の形態に係るジグソーにおけるベースの部分を拡大して示す部分断面図を、図６は図５のＣ矢視図を、図７（ａ），（ｂ）は第２実施の形態におけるブレードの切断角度の調整手順を説明する説明図を、図８（ａ），（ｂ），（ｃ）はスリットの変形例とそのブレードの切断角度の調整手順を説明する説明図をそれぞれ表している。
【００５４】
図５および図６に示すように、第２実施の形態に係るジグソー５０は、第１実施の形態に比して、角度調整手段としての凹溝３４，貫通孔３６，水平基準線部３７および分度器４０（例えば、図３参照）に替えて、角度調整手段としてのスリット５１をベース３０の壁部３５に設けた点が異なっている。
【００５５】
ベース３０を形成するベース本体３１の後方側には壁部３５が設けられ、当該壁部３５には、ベース本体３１に対して垂直方向に延びるスリット５１が設けられている。つまり、スリット５１は、刃物１８の切断方向に沿うベース３０の刃物１８との対向箇所に設けられている。このスリット５１は、刃物１８の厚み寸法と略同じ幅寸法に設定されるとともに、刃物１８の延在方向（図中上下方向）に延びており、図５の破線矢印に示すように、使用者によりスリット５１を覗き込んで目視することで、スリット５１からは刃物１８の後方側を確認できるようになっている。
【００５６】
次に、以上のように構成したジグソー５０におけるベース３０の角度調整の方法、つまり刃物１８の切断角度の調整方法（切断工具の切断角度調整方法）について、図７（ａ），（ｂ）を用いて詳細に説明する。
【００５７】
ここで、図７（ａ）においても図４（ａ）と同様に、ハウジング１１に対するベース３０の傾斜角度が正確に９０°となるよう、角度調整目盛りＭにより設定されているにも関わらず、実際のベース３０と刃物１８とのなす角度（切断角度）が８５°に狂っている場合を示している。
【００５８】
［位置合わせ工程］
ベース３０の角度調整を行うに当たり、まず、刃物１８の切断方向に沿うようスリット５１の位置と刃物１８の位置とを対向させ、スリット５１を正面から見た際、つまりスリット５１をベース３０の長手方向から目視した際に、図７（ａ），（ｂ）に示すようにスリット５１から刃物１８を見えるようにする。これにより位置合わせ工程が終了する。
【００５９】
［切断角度調整工程］
位置合わせ工程に引き続き、刃物１８の切断角度を正確に９０°に調整するために、締結工具Ｔを固定ネジ３３（図１参照）のネジ頭部に差し込んで、図７（ａ）に示すように、締結工具Ｔを矢印ｒ４方向に回転させ、これにより固定ネジ３３を弛める。すると、ベース３０が、回動中心Ｃを中心にハウジング１１に対して回動可能となる。
【００６０】
次に、図７（ｂ）に示すように、スリット５１を正面から目視しつつベース３０をハウジング１１に対して矢印ｒ５方向に回動させ、スリット５１の延在方向と刃物１８の延在方向とを一致させるよう調整する。これにより、ベース３０と刃物１８とのなす角度（切断角度）が正確に９０°に設定される。その後、再度、締結工具Ｔを固定ネジ３３のネジ頭部に差し込み、締結工具Ｔを矢印ｒ６方向に回転させて固定ネジ３３を締め付け、ベース３０をハウジング１１に対して固定する。これにより切断角度調整工程が終了し、ジグソー１０の使用準備が整う。
【００６１】
第２実施の形態に係るジグソー５０においては、ベース３０に１つのスリット５１のみを設けたものを示したが、図８（ａ），（ｂ），（ｃ）の変形例に示すように、ベース３０に複数のスリット５１，５２，５３（合計３つ）を設けることもできる。この場合、ベース３０の刃物１８に対する角度調整を９０°，１３５°，４５°の３つのパターンに設定でき、種々のニーズに対応できるようになる。具体的には、９０°調整用のスリット５１に対して、ベース３０の回動中心Ｃを中心に、１３５°調整用のスリット５２と４５°調整用のスリット５３とを交差（クロス）するよう設ければ良い。なお、ベース３０に設けるスリットの数は３つに限らず、壁部３５の大きさ（面積）や壁部３５に必要とされる剛性等に応じて、２つあるいは４つ以上設けるようにしても良い。
【００６２】
以上詳述したように、第２実施の形態に係るジグソー５０においても、上述した第１実施の形態と同様に、刃物１８の切断角度を精度良く調整することができる。これに加え、第２実施の形態においては、ベース３０に予め形成されたスリット５１（５２，５３）を用いるので、第１実施の形態のように分度器４０を装着したり取り外したりする手間を省くことができ、より作業効率を向上させることが可能となる。
【００６３】
次に、本発明の第３実施の形態について、図面を用いて詳細に説明する。なお、上述した第１実施の形態と同様の機能を有する部分については同一の符号を付し、その詳細な説明を省略する。
【００６４】
図９は本発明の第３実施の形態に係るジグソーにおけるベースの部分を拡大して示す部分断面図を、図１０は図９のＤ矢視図を、図１１（ａ），（ｂ）は第３実施の形態におけるブレードの切断角度の調整手順を説明する説明図をそれぞれ表している。
【００６５】
図９に示すように、第３実施の形態に係るジグソー６０は、第１実施の形態に比して、角度調整手段としての分度器４０を、ベース本体３１の後方側に着脱自在に設けるのでは無く、各ベース爪３２の先端側に着脱自在に設けた点が異なっている。この場合においても、分度器４０は、刃物１８の切断方向に沿うベース３０の刃物１８との対向箇所に着脱自在に設けられることになる。
【００６６】
ベース３０を形成する各ベース爪３２の先端側（図９中右側）には、各ベース爪３２の先端側を接続するブリッジ部６１が一体に設けられている。ブリッジ部６１は、図１０に示すように、各ベース爪３２のハウジング１１側に突出するよう断面が略Ｕ字形状に形成されており、その両端側には、分度器４０を支持する一対の支持爪６２が一体に設けられている。
【００６７】
各支持爪６２には、分度器４０の直線部４１が入り込む凹溝３４（図９参照）と、分度器４０をブリッジ部６１に固定するための固定ネジ３８と、分度器４０のゼロ度線４３を合わせるための水平基準線部３７がそれぞれ設けられている。また、ブリッジ部６１の中央部分には、図１０に示すように、ベース３０の回動中心Ｃの目印となる円弧凹部６３が形成されており、この円弧凹部６３の中心部分に分度器４０のゼロ度線４３と垂直線４４との交差部４５を合わせるようになっている。ここで、第３実施の形態においては、円弧凹部６３が、本発明における基準部を構成している。
【００６８】
次に、以上のように構成したジグソー６０におけるベース３０の角度調整の方法、つまり刃物１８の切断角度の調整方法（切断工具の切断角度調整方法）について、図９，図１０および図１１（ａ），（ｂ）を用いて詳細に説明する。
【００６９】
［分度器装着工程］
ベース３０の角度調整を行うに当たり、まず、図９および図１０に示すように、分度器４０をベース３０のブリッジ部６１に装着する。具体的には、分度器４０の直線部４１を各支持爪６２の各凹溝３４に入り込むようにし、分度器４０のゼロ度線４３と各支持爪６２の各水平基準線部３７とを重ね合わせるようにする（第１基準合わせ工程）。また、分度器４０の交差部４５を円弧凹部６３の中心（回動中心Ｃ）に合わせるようにする（第２基準合わせ工程）。その後、各固定ネジ３８を図示しない締結工具（六角レンチ）によりネジ込むことで、分度器４０をブリッジ部６１に装着（固定）することができる。これにより、刃物１８の切断方向に沿うベース３０の刃物１８との対向箇所に分度器４０が装着され、これにより分度器装着工程が終了する。
【００７０】
［位置合わせ工程］
分度器装着工程に引き続き、刃物１８の切断方向に沿うよう刃物１８の位置と分度器４０の位置とを対向させ、分度器４０を正面から見た際、つまり分度器４０をベース３０の長手方向から目視した際に、図１１（ａ），（ｂ）に示すように分度器４０と刃物１８とが重なって見えるようにする。これにより位置合わせ工程が終了する。
【００７１】
［切断角度調整工程］
位置合わせ工程に引き続き、刃物１８の切断角度を正確に９０°に調整する場合には、締結工具Ｔを固定ネジ３３（図９参照）のネジ頭部に差し込んで、図１１（ａ）に示すように、締結工具Ｔを矢印ｒ７方向に回転させ、これにより固定ネジ３３を弛める。すると、ベース３０がハウジング１１に対して回動可能となる。
【００７２】
次に、図１１（ｂ）に示すように、分度器４０を正面から目視しつつベース３０をハウジング１１に対して矢印ｒ８方向に５°だけ回動させ、刃物１８の切断角度が９０°になるよう調整する。その後、再度、締結工具Ｔを固定ネジ３３のネジ頭部に差し込み、締結工具Ｔを矢印ｒ９方向に回転させて固定ネジ３３を締め付け、ベース３０をハウジング１１に対して固定する。これにより切断角度調整工程が終了する。そして、その後さらに各固定ネジ３８を弛めて分度器４０を各支持爪６２から取り外すことで、ジグソー６０の使用準備が整う。
【００７３】
以上詳述したように、第３実施の形態に係るジグソー６０においても、上述した第１実施の形態と同様に、刃物１８の切断角度を精度良く調整することができる。これに加え、第３実施の形態においては、第１実施の形態に比して、分度器４０と刃物１８との間の距離を短くすることができるので、分度器４０を目視し易くして切断角度の調整精度をより高めることが可能となる。
【００７４】
本発明は上記各実施の形態に限定されるものではなく、その要旨を逸脱しない範囲で種々変更可能であることは言うまでもない。例えば、上記各実施の形態においては、ハウジング１１とベース３０との間に角度調整目盛りＭを設けたものを示したが、本発明はこれに限らず、分度器４０やスリット５１（５２，５３）を利用して刃物１８を基準にベース３０の角度を調整するため、角度調整目盛りＭを省略しても構わない。
【符号の説明】
【００７５】
１０…ジグソー（切断工具）、１１…ハウジング、１１ａ…第１ハウジング、１１ｂ…第２ハウジング、１１ｃ…本体部、１１ｄ…ハンドル部、１１ｅ…固定ナット、１２…電動モータ（電動機）、１２ａ…アーマチュア、１２ｂ…回転軸、１２ｃ…整流子、１２ｄ…ブラシ、１３…スイッチ、１４…調整ダイヤル、１５…運動変換機構、１５ａ…減速部、１５ｂ…変換部、１５ｃ…偏心駒、１６…ホルダ、１７…プランジャ、１７ａ…横溝、１８…刃物（ブレード）、１９…ブレードホルダ、２０…ガイドローラ、２１…調整つまみ、２２…押圧部材、３０…ベース、３１…ベース本体、３２…ベース爪、３３…固定ネジ、３４…凹溝（溝部，角度調整手段）、３５…壁部、３６…貫通孔（基準部，角度調整手段）、３７…水平基準線部（角度調整手段）、３８…固定ネジ、３９…ネジ孔、４０…分度器（角度調整手段）、４１…直線部、４２…円弧部、４３…ゼロ度線（基準線部）、４４…垂直線、４５…交差部（基準点）、５０…ジグソー（切断工具）、５１〜５３…スリット（角度調整手段）、６０…ジグソー（切断工具）、６１…ブリッジ部、６２…支持爪、６３…円弧凹部（基準部，角度調整手段）、Ｃ…回動中心、Ｓ…締結ネジ、ＳＰ…コイルばね、Ｔ…締結工具、Ｗ…木材（被加工部材）、ＧＲ…ギヤ、ＰＮ…ピニオン、α…切断角度
【図１】
2013071201.tif 000003
【図２】
2013071201.tif 000004
【図３】
2013071201.tif 000005
【図４】
2013071201.tif 000006
【図５】
2013071201.tif 000007
【図６】
2013071201.tif 000008
【図７】
2013071201.tif 000009
【図８】
2013071201.tif 000010
【図９】
2013071201.tif 000011
【図１０】
2013071201.tif 000012
【図１１】
2013071201.tif 000013